(57)【要約】【課題】白データを取得するために読取りの開始が遅れることを抑制することができる技術を提供すること。【解決手段】画像読取装置は、白基準板、読取部、および制御部を備える。制御部は、白基準板に対向する位置にキャリッジを移動させる移動処理（Ｓ１４５）と、移動処理の後に、読取部に、白基準板に対して光を発光させ、白基準板が反射した光を受光させることで、白データを生成させ、読取部から白データを取得する取得処理（Ｓ１５５）と、取得処理によって取得した白データに基づき前記画像データを補正する補正処理（Ｓ１７５，Ｓ１８５）と、画像データのプレビュ中に、プレビュ中に取得処理によって取得された白データを使用して画像データを補正するための処理を行うか否かを判断する実行判断処理（Ｓ１４０，Ｓ１５０，Ｓ１７０）とを実行する。【選択図】図８
2014093575.tif 000002
【特許請求の範囲】
【請求項１】
原稿の画像を読取り、前記原稿の画像データを生成する読取部と、
前記読取部を保持し、移動させるキャリッジと、
白データを取得するための白基準板と、
制御部とを備え、
前記制御部は、
前記白基準板に対向する位置に前記キャリッジを移動させる移動処理と、
前記移動処理の後に、前記読取部に、前記白基準板に対して光を発光させ、前記白基準板が反射した光を受光させることで、白データを生成させ、前記読取部から前記白データを取得する取得処理と、
白データに基づき前記画像データを補正する補正処理と、
前記画像データのプレビュ中に、前記プレビュ中に前記取得処理によって取得された白データを使用して前記画像データを補正するための処理を行うか否かを判断する実行判断処理と、
を実行する、画像読取装置。
【請求項２】
請求項１に記載の画像読取装置において、
前記プレビュの事前に設定された白データを記憶する記憶部と、
前記プレビュ中において、画質を調整する指示を受付ける受付部とを備え、
前記制御部は、
前記実行判断処理において、前記受付部が前記画質を調整する指示を受付けたか否かを判断する調整判断処理を実行し、
実行した前記調整判断処理において受付部が前記画質を調整する指示を受付けたと判断した場合、
前記補正処理において、前記プレビュ中に前記取得処理によって取得する前記白データに代えて、前記記憶部に記憶されている白データに基づき画像データを補正する、画像読取装置。
【請求項３】
請求項２に記載の画像読取装置において、
前記制御部は、
前記調整判断処理において受付部が前記画質を調整する指示を受付けたと前記移動処理を実行する前に判断した場合、前記移動処理を実行する、画像読取装置。
【請求項４】
請求項１から請求項３のいずれか一項に記載の画像読取装置において、
前記プレビュの終了を指示する指示部を備え、
前記制御部は、
前記実行判断処理において、
前記読取部がカラーで前記画像データを生成したか、モノクロで前記画像データを生成したかを判断するカラー判断処理を実行し、
前記指示部において前記プレビュの終了が指示された際、
前記カラー判断処理において前記読取部がカラーで前記画像データを生成したと判断する場合、前記移動処理を実行し、
前記カラー判断処理において前記読取部がモノクロで前記画像データを生成したと判断する場合、
前記補正処理において、前記プレビュ中に前記取得処理によって取得する前記白データに代えて、前記プレビュの事前に設定された白データに基づき前記画像データを補正する、画像読取装置。
【請求項５】
請求項１から請求項４のいずれか一項に記載の画像読取装置において、
前記画像データのプレビュ中に前記取得部が取得した白データを記憶する記憶部を備え、
前記制御部は、
前記実行判断処理において、
前記記憶部に、前回の読取りの際に、前記画像データのプレビュ中に前記取得部が取得した前記白データが記憶されているか否かを判断する記憶判断処理を実行し、
前記記憶判断処理において、前記白データが前記記憶部に記憶されていると判断する場合、
次に行う読取りでは、前記補正処理において、前記記憶部に記憶されている、前回のプレビュ中に取得された前記白データに基づき前記画像データを補正する、画像読取装置。
【請求項６】
請求項１から請求項５のいずれか一項に記載の画像読取装置において、
モータと、
前記モータが供給する動力を伝達するモータ側伝達ギアと、
前記搬送部が搬送する前記原稿を前記読取部に読取らせる搬送読取の際に、前記搬送部に前記動力を伝達する搬送部側伝達ギアと、
前記キャリッジを移動させて前記画像を読取る移動読取の際に、前記キャリッジに前記動力を伝達するキャリッジ側伝達ギアと、
前記搬送読取の際に、前記モータ側伝達ギアと前記搬送部側伝達ギアとを連結する搬送部側位置で前記搬送部側伝達ギアと噛合い、前記移動読取の際に、前記モータ側伝達ギアと前記キャリッジ側伝達ギアとを連結するキャリッジ側位置で前記キャリッジ側伝達ギアと噛合うように切替わる切替ギアと、を備え、
前記制御部は、
前記プレビュ中に前記搬送部側位置から前記キャリッジ側位置に前記切替ギアを切替えさせた後に、前記移動処理を実行する、画像読取装置。
【発明の詳細な説明】
【技術分野】
【０００１】
本発明は画像読取装置に関し、詳しくは、ＣＩＳ等の読取部を移動させて原稿の画像を読取り、画像データを生成する画像読取装置に関する。
【背景技術】
【０００２】
従来、ＣＩＳ等の読取部を移動させて原稿の画像を読取り、画像データを生成する画像読取装置として、例えば、特許文献１に記載されたものが知られている。この画像読取装置によれば、白基準板に対して前記読取部に光を発光させ、白基準板が反射した光を受光させることで、読取部に白データを生成させて白データを取得する。その後、原稿を読取って画像データを生成し、白データに基づき画像データを補正し、プレビュ画像としてディスプレイ等の表示部に表示する。
【先行技術文献】
【特許文献】
【０００３】
【特許文献１】特開２０１２−４４５６５号公報
【発明の概要】
【発明が解決しようとする課題】
【０００４】
しかしながら、上記従来技術文献においては、白データを取得した後、原稿の画像を読取るので、原稿の画像の読み取りを開始するまでに時間がかかり、白データを取得するために読取りの開始が遅れるという不都合があった。
そこで、本発明は、白データを取得するために読取りの開始が遅れることを抑制することができる技術を提供するものである。
【課題を解決するための手段】
【０００５】
本明細書によって開示される画像読取装置は、原稿の画像を読取り、前記原稿の画像データを生成する読取部と、前記読取部を保持し、移動させるキャリッジと、白データを取得するための白基準板と、制御部とを備え、前記制御部は、前記白基準板に対向する位置に前記キャリッジを移動させる移動処理と、前記移動処理の後に、前記読取部に、前記白基準板に対して光を発光させ、前記白基準板が反射した光を受光させることで、白データを生成させ、前記読取部から前記白データを取得する取得処理と、白データに基づき前記画像データを補正する補正処理と、前記画像データのプレビュ中に、前記プレビュ中に前記取得処理によって取得された白データを使用して前記画像データを補正するための処理を行うか否かを判断する実行判断処理とを実行する。
本構成によれば、画像データのプレビュ中に、実行判断処理の判断に基づいて、白基準板に対向する位置にキャリッジを移動させ白データを取得し、プレビュ中に取得した白データに基づいて画像データを補正することができる。そのため、白データを取得するために読取りの開始が遅れることを抑制することができる。
【０００６】
上記画像読取装置において、前記プレビュの事前に設定された白データを記憶する記憶部と、前記プレビュ中において、画質を調整する指示を受付ける受付部とを備え、前記制御部は、前記実行判断処理において、前記受付部が前記画質を調整する指示を受付けたか否かを判断する調整判断処理を実行し、実行した前記調整判断処理において受付部が前記画質を調整する指示を受付けたと判断した場合、前記補正処理において、前記プレビュ中に前記取得処理によって取得する前記白データに代えて、前記記憶部に記憶されている白データに基づき画像データを補正するようにしてもよい。
本構成によれば、プレビュにおいてユーザが画質の調整をした可能性がある場合、白データを新たに取得して画像データを補正すると、ユーザが調整した画質と差異が生じることになる。このため、ユーザが調整した画質と異なることを抑制できる。
【０００７】
また、上記画像読取装置において、前記制御部は、前記調整判断処理において受付部が前記画質を調整する指示を受付けたと前記移動処理を実行する前に判断した場合、前記移動処理を実行するようにしてもよい。
本構成によれば、次の読取が、キャリッジを移動させて画像を読取る移動読取の場合に、移動読取を開始するまでの時間を短縮することができる。
【０００８】
また、上記画像読取装置において、前記プレビュの終了を指示する指示部を備え、前記制御部は、前記実行判断処理において、前記読取部がカラーで前記画像データを生成したか、モノクロで前記画像データを生成したかを判断するカラー判断処理を実行し、前記指示部において前記プレビュの終了が指示された際、前記カラー判断処理において前記読取部がカラーで前記画像データを生成したと判断する場合、前記移動処理を実行し、前記カラー判断処理において前記読取部がモノクロで前記画像データを生成したと判断する場合、前記補正処理において、前記プレビュ中に前記取得処理によって取得する前記白データに代えて、前記プレビュの事前に設定された白データに基づき前記画像データを補正するようにしてもよい。
本構成によれば、モノクロで画像データを生成する場合は、白基準板から白データを取得しないので、次の読取を開始するまでにかかる時間を短縮することができる。
【０００９】
また、上記画像読取装置において、前記画像データのプレビュ中に前記取得部が取得した白データを記憶する記憶部を備え、前記制御部は、前記実行判断処理において、前記記憶部に、前回の読取りの際に、前記画像データのプレビュ中に前記取得部が取得した前記白データが記憶されているか否かを判断する記憶判断処理を実行し、前記記憶判断処理において、前記白データが前記記憶部に記憶されていると判断する場合、次に行う読取りでは、前記補正処理において、前記記憶部に記憶されている、前回のプレビュ中に取得された前記白データに基づき前記画像データを補正するようにしてもよい。
本構成によれば、画像データのプレビュ中に取得部が白データを取得した読取りの次に行う読取りでは、プレビュ中に取得部が取得した白データは最新の白データにあたるので、さらに白データを取得する必要がない。このため、無駄に白データを取得することを回避することができる。
【００１０】
また、上記画像読取装置において、モータと、前記モータが供給する動力を伝達するモータ側伝達ギアと、前記搬送部が搬送する前記原稿を前記読取部に読取らせる搬送読取の際に、前記搬送部に前記動力を伝達する搬送部側伝達ギアと、前記キャリッジを移動させて前記画像を読取る移動読取の際に、前記キャリッジに前記動力を伝達するキャリッジ側伝達ギアと、前記搬送読取の際に、前記モータ側伝達ギアと前記搬送部側伝達ギアとを連結する搬送部側位置で前記搬送部側伝達ギアと噛合い、前記移動読取の際に、前記モータ側伝達ギアと前記キャリッジ側伝達ギアとを連結するキャリッジ側位置で前記キャリッジ側伝達ギアと噛合うように切替わる切替ギアと、を備え、前記制御部は、前記プレビュ中に前記搬送部側位置から前記キャリッジ側位置に前記切替ギアを切替えさせた後に、前記移動処理を実行するようにしてもよい。
本構成によれば、プレビュ中に、切替ギアを搬送部側位置からキャリッジ側位置に切替えることができ、ギア切替えにかかる時間を別個に設ける必要がない。そのため、搬送読取と移動読取とでモータを共通化する構成において、白データを取得するために読取りの開始が遅れることを抑制することができるとともに、読取りを開始してからプレビュが完了するまでの時間を短縮することができる。
【発明の効果】
【００１１】
本発明によれば、白データを取得するために読取りの開始が遅れることを抑制することができる。
【図面の簡単な説明】
【００１２】
【図１】本発明の実施形態に係る画像読取装置において、原稿カバーが閉じた状態を示す外観斜視図
【図２】本発明の実施形態に係る画像読取装置において、原稿カバーが開いた状態を示す外観斜視図
【図３】本発明の実施形態に係る画像読取装置の概略的な断面図
【図４】遊星ギアがＦＢ側位置にある場合を示す説明図
【図５】遊星ギアがＡＤＦ側位置にある場合を示す説明図
【図６】画像読取装置の電気的構成を概略的に示すブロック図
【図７】読取設定の画面を示す図
【図８】読取制御処理の実施例１を示すフローチャート
【図９】読取制御処理の実施例２を示すフローチャート
【図１０】読取制御処理の実施例３を示すフローチャート
【発明を実施するための形態】
【００１３】
次に一実施形態について図１から図１０を参照して説明する。
【００１４】
１．画像読取装置の外観構成
画像読取装置１は、図３等に示されるように、読取部７、キャリッジ８、自動原稿給紙（オートドキュメントフィーダ：ＡＤＦ）装置４０、および原稿台３等を含む。また、図１に示すように、画像読取装置１の前側には、各種のボタンからなる操作部（受付部、指示部の一例）１１、および例えば、液晶ディスプレイからなる表示部１２が設けられている。操作部１１は、読取開始キー１１Ａおよび電源キー１１Ｂを含む。
【００１５】
画像読取装置１は、画像読取方法として、キャリッジ８を移動させて画像を読取る移動読取（以下、「ＦＢ（フラットベッド）読取」と記す）と、搬送部４４（図３参照）によって搬送される原稿を読取る搬送読取（以下、「ＡＤＦ読取」と記す）とを有する。なお、画像読取装置１は、単独のスキャナ装置あるいはコピー機であってもよいし、プリント機能およびＦＡＸ機能を備えた、いわゆる複合機の一部であってもよい。
【００１６】
原稿台３には、図２に示すように、ガラスやアクリル等の透明なプラテン３Ｂにて閉塞された第１読取窓が設けられている。そして、プラテン３Ｂにより載置面３Ａが構成されている。原稿台３の上面側には、ヒンジ機構５Ａを介して原稿カバー５が組み付けられている。
【００１７】
このため、原稿カバー５は、図１に示す原稿台３を覆う位置と、図２に示す原稿台３から離間した位置との間で揺動変位できる。なお、ＦＢ読取を行う場合には、ユーザが手動操作にて原稿カバー５を上方側に開いて載置面３Ａに原稿を載置する必要がある。
【００１８】
また、画像読取装置１は、図２に示されるように、駆動力伝達機構１３および負荷発生部２５を含む。負荷発生部２５は、読取部７に設けられた第１被接触部２５Ａと、原稿台３に設けられた第１ストッパ部２５Ｂとを有する。
【００１９】
また、載置面３Ａの下方側には、当該載置面３Ａに沿って移動する読取部７が設けられている（図３参照）。読取部７は、原稿に照射されて反射した光を受光し、その受光した光に基づいて電気信号を発する。そして、画像読取装置１は、読取部７を介して原稿に記載された文字等の画像を電気信号に変換して画像を読取る。
【００２０】
読取部７は、ここではＣＩＳ（Contact Image Sensor）方式で原稿を読取るように構成されている。読取部７は、複数の受光素子が紙面垂直方向に直線状に配列されているリニアイメージセンサ７Ｃ、ＲＧＢ３色の発光ダイオードなどで構成される光源７Ａ、原稿等で反射された反射光をリニアイメージセンサ７Ｃの各受光素子に結像させるロッドレンズアレイ７Ｂを含む。
【００２１】
読取部７を保持するキャリッジ８は、歯付ベルト９Ａに結合され、歯付ベルト９Ａの移動に伴って、矢印Ａ方向またはＢ方向に移動する。歯付ベルト９Ａは、第１歯付プーリ９Ｂ（図４参照）を介して、後述する駆動力伝達機構によって駆動される。なお、読取部７はＣＩＳ方式に限られず、縮小光学系およびＣＣＤ（電荷結合素子）イメージセンサを用いた、いわゆるＣＣＤ方式であってもよい。
【００２２】
また、読取部７は、プラテン３Ｂに載置されている原稿を読取るとき、すなわち、ＦＢ読取を実行する時は、歯付ベルト９Ａに結合したキャリッジ８によって、ホームポジションＨＰからプラテン３Ｂの盤面に平行な方向（図３中のＡ方向）に一定速度で搬送されながら原稿を読取る。その際、搬送方向での読取範囲は、例えば、図３に示される読取開始位置ＰＳから読取終了位置ＰＥまでとされる。なお、本実施形態では、読取開始位置ＰＳは原稿の読取範囲に関係なく一定され、読取終了位置ＰＥは原稿の読取範囲に応じて可変される。
【００２３】
一方、読取部７は、ＡＤＦ装置４０によって搬送される原稿を読取るとき、すなわち、ＡＤＦ読取を実行するときは、キャリッジ８によって第２読取窓３Ｃの直下の搬送読取位置（以下、「ＡＤＦ読取位置」と記す）ＲＰに保持されて原稿５を読取る。
【００２４】
また、移動機構９は、図２に示されるように、原稿台３に固定された第１歯付プーリ９Ｂ（図４参照）および第２歯付プーリ９Ｃ、並びに第１歯付プーリ９Ｂと第２歯付プーリ９Ｃとの間に掛け渡された歯付ベルト９Ａ等を有している。そして、歯付ベルト９Ａは、第１歯付プーリ９Ｂから駆動力を得て回転する。キャリッジ８は、歯付ベルト９Ａに連結されている。このため、キャリッジ８は、歯付ベルト９Ａの回転方向に応じて移動する。
【００２５】
なお、第２読取窓３Ｃも、第１読取窓、つまり載置面３Ａと同様に、ガラス等の透明なプラテンで閉塞されている。載置面３Ａと第２読取窓３Ｃとは、梁状の区画部材３Ｄにて区画されている（図３参照）。
【００２６】
また、図３に示されるように、区画部材３Ｄには、調整基準板５５が設けられている。調整基準板５５は、読取時の色彩及び濃淡の基準、および読取部７の基準位置を再調整するためものである。
【００２７】
また、調整基準板５５は、例えば、副走査方向（図３の左右方向）に並べられる白テープ（白基準板の一例）５５Ａと黒テープ５５Ｂとから構成される。本実施形態では、白テープ５５Ａに対向する、図３の左右方向の範囲内の所定位置がホームポジションＨＰとされる。ここでホームポジションＨＰは、本実施形態では、読取部７がＦＢ読取を実行していない時に、読取部７が待機する位置とされる。また、ホームポジションＨＰは、読取部７が読取走査を行う際の基準位置とされる。また、後述するＣＰＵ２０は、白テープ５５Ａを読取ったときの読取データ（白データの一例：以下「白データ」と記す）を用いて、原稿読取データを補正する。なお、ホームポジションＨＰは白テープ５５Ａに対向した所定位置に限られない。すなわち、ホームポジションＨＰは、図３の左右方向において、白テープ５５と対向する位置と異なる位置とされてもよい。
【００２８】
なお、本実施形態では、図３に示されるように、ＡＤＦ読取位置ＲＰ、ホームポジションＨＰ、読取開始位置ＰＳおよび読取終了位置ＰＥは、読取部７の移動方向のＡ方向において、ＡＤＦ読取位置ＲＰ、ホームポジションＨＰ、読取開始位置ＰＳ、読取終了位置ＰＥの順に並んでいる。
【００２９】
また、原稿カバー５には、図３に示されるように、ＡＤＦ装置４０が設けられている。ＡＤＦ装置４０は、ＡＤＦカバー４１、原稿トレイ４１Ａ、搬送路４３、給紙ローラ４４Ａ、搬送ローラ４４Ｂ，４４Ｃ、給紙ローラ４４Ａ、排紙ローラ４４Ｄ等の各種のローラ、および原稿カバー５の上面を利用した排紙トレイ４１Ｂを含む。ＡＤＦ装置４０は、原稿トレイ４１Ａに載置されている原稿を一枚ずつ搬送して第２読取窓３Ｃ上を通過させ、排紙トレイ４１Ｂに排出する。さらに、搬送ローラ４４によって搬送される原稿を検出するための、フォトセンサ等のリアセンサ４７と、原稿トレイ４１Ａにセットされた原稿を検出するための、フォトセンサ等のフロントセンサ４９が設けられている。
【００３０】
リアセンサ４７は、搬送路４３内において、読取部７よりも原稿搬送上流側に設けられている。ここで、給紙ローラ４４Ａ、搬送ローラ４４Ｂ，４４Ｃ、および排紙ローラ４４Ｄは、原稿を搬送する搬送部の一例に相当する。
【００３１】
２．駆動力伝達機構
２−１．駆動力伝達機構の構成
本実施形態では、１つのモータ３１にて移動機構９および搬送部４４を駆動している。つまり、駆動力伝達機構１３は、モータ３１で発生した駆動力、すなわち、モータトルクを選択的に移動機構９または搬送部４４に伝達している。
【００３２】
本実施形態に係る駆動力伝達機構１３は、図４に示すように、太陽ギア（モータ側伝達ギアの一例）１５、遊星ギア（切替ギアの一例）１７および噛合部１９等を有する遊星ギア機構、キャリッジ側伝達ギア（以下、「ＦＢ側伝達ギア」と記す）２１、搬送部側伝達ギア（以下、「ＡＤＦ側伝達ギア」と記す）２３を含む。
【００３３】
太陽ギア１５は、モータ３１（図６参照）が供給する動力を遊星ギア１７に伝達する。また、太陽ギア１５は、原稿台３に対して変位することなく回転する。そして、太陽ギア１５は、モータ３１から駆動力を得て回転し、かつ、その回転方向は、モータ３１の回転方向に連動して正転または逆転する。すなわち、本実施形態では、モータ３１の回転方向と太陽ギア１５の回転方向とは、等しい。
【００３４】
ＦＢ側伝達ギア２１は、ＦＢ読取の際に、キャリッジ８にモータ３１からの動力を伝達する。一方、ＡＤＦ側伝達ギア２３は、ＡＤＦ読取の際に、搬送部４４にモータ３１からの動力を伝達する。
【００３５】
遊星ギア１７は、ＡＤＦ読取の際に、太陽ギア１５とＡＤＦ側伝達ギア２３とを連結する搬送部側位置（以下、「ＡＤＦ側位置」と記す）でＡＤＦ側伝達ギア２３と噛合い、ＦＢ読取の際に、太陽ギア１５とＦＢ側伝達ギア２１とを連結するキャリッジ側位置（以下、「ＦＢ側位置」と記す）でＦＢ側伝達ギア２１と噛合うように切替わる。また、遊星ギア１７は、太陽ギア１５と噛合って回転するとともに、太陽ギア１５の回転中心を公転中心として、図４に示すＦＢ側位置と、図５に示すＡＤＦ側位置との間で公転できる。また、遊星ギア１７は、回転中心１７Ａを中心に自転する。
【００３６】
太陽ギア１５が回転すると、遊星ギア１７には、遊星ギア１７を自転させる力（以下、自転力という。）、および遊星ギア１７を公転させる力（以下、公転力という。）が作用する。このため、太陽ギア１５が正転しているときには、ＡＤＦ側位置からＦＢ側位置に向かう向き（図４において右周りの向き）の公転力が遊星ギア１７に作用する。
【００３７】
一方、太陽ギア１５が逆転しているときには、ＦＢ側位置からＡＤＦ側位置に向かう向き（図４において左周りの向き）の公転力が遊星ギア１７に作用する。そして、公転力が大きくなると、遊星ギア１７は公転力の向きに公転する。一方、公転力が小さいときには、公転することなく自転する。
【００３８】
なお、以下、太陽ギア１５が正転しているときに、遊星ギア１７が自転する向きを遊星ギア１７の正転の向きという。同様に、太陽ギア１５が逆転しているときに、遊星ギア１７が自転する向きを遊星ギア１７の逆転の向きという。なお、太陽ギア１５の各回転方向と、遊星ギア１７の各回転の向きとは逆になる。
【００３９】
アーム１８は、遊星ギア１７を自転および公転可能に支持する。そして、アーム１８の延び方向一端側は、太陽ギア１５と同軸上に回転可能に支持されている。アーム１８の延び方向他端側には、遊星ギア１７が回転可能に組み付けられている。
【００４０】
また、原稿台３には、アーム１８の回転を規制する第２ストッパ部３Ｈおよび第３ストッパ部３Ｊが設けられている。一方、アーム１８には、第２ストッパ部３Ｈに接触する第２被接触部１８Ａ、および第３ストッパ部３Ｊに接触する第３被接触部１８Ｂが設けられている。
【００４１】
そして、第２ストッパ部３Ｈは、図４に示すように、遊星ギア１７がＦＢ側位置にある時に第２被接触部１８Ａに接触してアーム１８が紙面右回りに回転することを規制する。一方、第３ストッパ部３Ｊは、図５に示すように、遊星ギア１７がＡＤＦ側位置にある時に第３被接触部１８Ｂに接触してアーム１８が紙面左回りに回転することを規制する。
【００４２】
また、第１バネ１６は、遊星ギア１７がＦＢ側位置にある時（以下、「ＦＢ側位置時」という）、または遊星ギア１７がＡＤＦ側位置にある時（以下、「ＡＤＦ側位置時」という）に、遊星ギア１７の切替えを抑制する。すなわち、第１バネ１６は、ＦＢ読取の際には、太陽ギア１５が逆転しているときに遊星ギア１７がＦＢ側伝達ギア２１から離間することを抑制する。つまり、第１バネ１６は、少なくともＦＢ側位置時に遊星ギア１７がＡＤＦ側位置に公転することを抑制する力（以下、第１抑制力という）を遊星ギア１７に作用させる。
【００４３】
なお、本実施形態に係る第１バネ１６は引張コイルバネである。そして、第１バネ１６の伸張方向一端側は、アーム１８のうち揺動中心を挟んで遊星ギア１７と反対側に連結され、かつ、その伸張方向他端側は原稿台３に連結されている。
【００４４】
このため、第１バネ１６は、また、ＡＤＦ側位置時には遊星ギア１７がＦＢ側位置に公転することを抑制する力（以下、第２抑制力という）をアーム１８に作用させる。
【００４５】
ところで、遊星ギア１７がＡＤＦ側位置にあるときには、後述するように、搬送部４４に駆動力を伝達しているときであって、太陽ギア１５が逆転しているときである。そして、太陽ギア１５が逆転しているときには、遊星ギア１７をＦＢ側位置からＡＤＦ側位置に公転させる力が遊星ギア１７に作用する。
【００４６】
このため、本実施形態では、少なくとも搬送部４４に駆動力を伝達している間、つまり、太陽ギア１５が逆転している間は、仮に第２抑制力が無くても、遊星ギア１７はＡＤＦ側位置に止まり続ける。
【００４７】
そこで、本実施形態では、ＦＢ側位置時に第１バネ１６が遊星ギア１７に作用させる公転を抑制する第１抑制力を、ＡＤＦ側位置時に第１バネ１６が遊星ギア１７に作用させる公転を抑制する第２抑制力より大きくしている。
【００４８】
具体的には、ＦＢ側位置時における第１バネ１６の変形量が、ＡＤＦ側位置時における第１バネ１６の変形量より大きくなるように、伸張方向一端、および側伸張方向他端の位置を設定している。
【００４９】
噛合部１９は、ＦＢ側位置とＡＤＦ側位置との間を遊星ギア１７が公転するときに遊星ギア１７の歯と噛合う部位である。そして、本実施形態に係る噛合部１９は、内歯ギアにより構成されている。
【００５０】
噛合部１９は、図４に示すように、太陽ギア１５側に突出した複数の突起部１９Ａを有し、かつ、それら突起部１９Ａが遊星ギア１７の公転経路に沿って設けられたギアの一種である。
【００５１】
そして、噛合部１９は、太陽ギア１５に対して移動可能として原稿台３に組み付けられている。なお、本実施形態に係る噛合部１９は、太陽ギア１５を中心とした遊星ギア１７の公転経路に沿った方向に変位可能となっている。そして、噛合部１９が移動したときに、噛合部１９を移動前の位置に戻す第２バネ１９Ｂが設けられている。
【００５２】
また、ＡＤＦ側伝達ギア２３は、載置面３Ａと平行な方向のうち読取部７の移動方向と直交する方向（本実施形態では、前後方向）において、ＦＢ側伝達ギア２１よりヒンジ機構５Ａ側に配設されている。また、ＡＤＦ側伝達ギア２３は、一方向にのみ回転するギアである。そのため、ＡＤＦ側伝達ギア２３は、搬送部４４が原稿を搬送するＸ方向（図５参照）にだけに回転し逆方向に回転しない逆回転を防止する機構を有する。逆回転を防止する機構としては、例えば、周知の逆回転防止爪（図示せず）を有する。
【００５３】
つまり、図４に示されるように、ＦＢ側伝達ギア２１は、太陽ギア１５を挟んでＡＤＦ側伝達ギア２３と反対側に配設されている。そして、太陽ギア１５、遊星ギア１７、ＦＢ側伝達ギア２１およびＡＤＦ側伝達ギア２３の回転軸方向は、載置面３Ａと直交している。
【００５４】
また、ＦＢ側伝達ギア２１は、図４に示すように、遊星ギア１７がＦＢ側位置にあるときに遊星ギア１７と噛合う。このため、ＦＢ側位置時には、太陽ギア１５→遊星ギア１７→ＦＢ側伝達ギア２１の順に駆動力が伝達される。そして、ＦＢ側伝達ギア２１により第１歯付プーリ９Ｂが駆動されて移動機構９が稼働する。
【００５５】
なお、移動機構９は、太陽ギア１５が正転するときには、キャリッジ８、すなわち読取部７を図３のＡ方向に移動させ、一方、太陽ギア１５が逆転するときには読取部７を図３のＢ方向に移動させる。つまり、読取部７は、太陽ギア１５の回転方向に応じて移動する。
【００５６】
ＡＤＦ側伝達ギア２３は、図５に示すように、遊星ギア１７がＡＤＦ側位置にあるときに遊星ギア１７と噛合う。このため、ＡＤＦ側位置時には、太陽ギア１５→遊星ギア１７→ＡＤＦ側伝達ギア２３の順に駆動力が伝達されて搬送部４４が稼働する。
【００５７】
また、図２等に示すように、ＦＢ側伝達ギア２１の回転抵抗を増大させる負荷発生部２５が設けられている。負荷発生部２５は、ＡＤＦ読取位置ＲＰにキャリッジ８、すなわち読取部７が位置したときに、ＡＤＦ読取位置ＲＰ以外の位置に読取部７が位置する場合に比べてＦＢ側伝達ギア２１の回転抵抗を増大させる。
【００５８】
すなわち、本実施形態に係る負荷発生部２５は、読取部７に設けられた第１被接触部２５Ａ、および原稿台３に設けられた第１ストッパ部２５Ｂを有して構成されている。そして、第１被接触部２５Ａと第１ストッパ部２５Ｂとは、図４に示すように、互いに接触する。
【００５９】
このため、太陽ギア１５が逆転しているときに読取部７がＡＤＦ読取位置ＲＰに位置して第１被接触部２５Ａと第１ストッパ部２５Ｂとが接触すると、読取部７の移動が規制されるため、ＦＢ側伝達ギア２１の回転抵抗が増大する。
【００６０】
３．駆動力伝達機構の作動
３−１．  ＦＢ読取時
画像読取装置１の非稼働時には、読取部７はホームポジションＨＰにあり、遊星ギア１７はＦＢ側位置に位置している。そして、例えば、読取開始スイッチ１１Ａがユーザにより操作されてＦＢ読取が開始されると、ＣＰＵ２０は、モータ３１を正転させて太陽ギア１５を正転させる。
【００６１】
これにより、読取部７は、ホームポジションＨＰから読取終了位置ＰＥに向けて移動する。このとき、遊星ギア１７には、ＡＤＦ側位置からＦＢ側位置に向かう向きの公転力が作用する。しかし、第２ストッパ部３Ｈと第２被接触部１８Ａとが接触しているので、遊星ギア１７は公転することなく、ＦＢ側位置に止まって正転の向きに自転する。
【００６２】
そして、ＣＰＵ２０（図６参照）は、例えば、モータ３１の駆動ステップ数が所定値に達したときに、モータ３１を逆転させて太陽ギア１５を逆転させる。さらに、ＣＰＵ２０は、読取部７がホームポジションＨＰに到達したと判断した時にモータ３１を停止させる。これにより、読取部７は、読取終了位置側からホームポジションＨＰまで移動する。
【００６３】
太陽ギア１５が逆転している場合においては、遊星ギア１７には、ＦＢ側位置からＡＤＦ側位置に向かう向きの公転力、つまり遊星ギア１７をＦＢ側伝達ギア２１から離隔させる向きの公転力が作用する。しかし、第１バネ１６により当該公転力が相殺されるので、遊星ギア１７は公転することなく、ＦＢ側位置に止まって逆転の向きに自転する。
【００６４】
３−２．  ＡＤＦ読取時
画像読取装置１の非稼働時には、読取部７はホームポジションＨＰにあり、遊星ギア１７はＦＢ側位置に位置している。そして、読取開始スイッチ１１Ａがユーザにより操作されてＡＤＦ読取の開始の指示がされると、ＣＰＵ２０は、モータ３１を逆転させて太陽ギア１５を逆転させる。
【００６５】
これにより、読取部７、すなわちキャリッジ８は、ホームポジションＨＰからＡＤＦ読取位置ＲＰに移動する。そして、読取部７が搬送読取位置ＲＰに位置して第１ストッパ部２５Ｂと第１被接触部２５Ａとが接触すると、読取部７の移動が規制されてＦＢ側伝達ギア２１の回転抵抗が増大する。
【００６６】
このため、遊星ギア１７の自転が妨げられて自転力が小さくなる。一方、遊星ギア１７をＦＢ側位置からＡＤＦ側位置に公転させる向き公転力が増大する。そして、当該公転力が第１バネ１６の第１抑制力を上回ると、遊星ギア１７と噛合部１９とが噛合って、遊星ギア１７がＡＤＦ側位置に公転し始める。
【００６７】
遊星ギア１７が公転して第３ストッパ部３Ｊと第３被接触部１８Ｂとが接触すると、図５に示すように、遊星ギア１７の公転が停止するとともに、遊星ギア１７とＡＤＦ側伝達ギア２３とが噛合う。このため、搬送部４４に駆動力が伝達され、原稿の搬送が開始される。
【００６８】
また、ＣＰＵ２０は、ＡＤＦ読取が終了したと判断すると、モータ３１を正転させて太陽ギア１５を正転させる。これにより、遊星ギア１７には、ＡＤＦ側位置からＦＢ側位置に向かう向きの公転力が作用する。
【００６９】
そして、当該公転力が第１バネ１６の第２抑制力を上回ると、遊星ギア１７はＦＢ側位置に向けて公転する。遊星ギア１７がＦＢ側位置に位置すると、遊星ギア１７とＦＢ側伝達ギア２１とが噛合うので、読取部７は、ＡＤＦ読取位置ＲＰから図２のＡ方向に移動する。
【００７０】
４．画像読取装置の電気的構成
画像読取装置１は、図６に示すように、ＣＰＵ２０（制御部の一例）、ＲＯＭ２６、ＲＡＭ２７、ＮＶＲＡＭ（不揮発ＲＡＭ：記憶部の一例）２８、ネットワークインターフェイス（以下、ネットワークＩ／Ｆと記す）２４を備え、これらに、読取部７、操作部１１、表示部１２、カウンタ３５、リアセンサ４７、フロントセンサ４９、およびモータ駆動ＩＣ３０等が接続される。モータ駆動ＩＣ３０には、モータ３１が接続される。
【００７１】
操作部１１は、ユーザの操作によって、プレビュ中において、ユーザからの画質を調整する指示を受付ける。また、操作部１１は、ユーザの操作によって、ユーザからのプレビュの終了をＣＰＵ２０に指示する。
【００７２】
また、ネットワークＩ／Ｆ２４は、通信回線（図示せず）を介して外部のユーザコンピュータ（以下、ユーザＰＣと記す）等に接続され、ネットワークＩ／Ｆ２４を介して相互のデータ通信が可能となる。なお、ネットワークＩ／Ｆ（受付部および指示部の一例）２４を介して、ユーザＰＣから読取開始指示を受付けることも可能あり、また、ユーザＰＣからプレビュの終了指示を受取り、プレビュの終了指示をＣＰＵ２０に指示することが可能である。
【００７３】
ＲＯＭ２６には、画像読取装置１の動作を制御するための各種のプログラムが記憶されており、ＣＰＵ２０は、ＲＯＭ２６から読み出したプログラムに従って、その処理結果をＲＡＭ２７またはＮＶＲＡＭ２８に記憶させながら、各部の制御を行う。また、例えば、ＲＯＭ２６には、モータ３１をステップ駆動するためのステップ数等が記憶されている。
【００７４】
モータ３１は、ステッピングモータである。また、モータ駆動ＩＣ３０は、ＣＰＵ２０の制御に応じて、モータ３１を駆動制御する。カウンタ３５は、例えば、モータ３１を制御する際のステップ数をカウントする。
【００７５】
ＣＰＵ２０は、モータ駆動ＩＣ３０を制御して、モータ３１のトルクおよび回転方向等を制御する。モータ駆動電流とモータトルクとは比例関係にあり、駆動電流を増加させることでモータトルクを大きくすることができる。あるいは、駆動速度とモータトルクとは反比例関係にあり、駆動速度を低下させることでモータトルクを大きくすることができる。
【００７６】
５．読取制御処理
次に、図７から図１０を参照して、本実施形態における読取制御処理について説明する。読取制御処理は、例えば、ＲＯＭ２６に記憶された所定のプログラムに基づいて、ＣＰＵ２０によって実行される。また、読取制御処理は、例えば、ユーザによってＡＤＦ装置４０の原稿トレイ４１Ａに原稿が設置され、ユーザＰＣにおいて、図７に示すような読取設定画面７０において「プレビュ開始」ボタン７１がクリックされた際に、あるいは操作部１１からプレビュ開始の指示がされた際に開始される。
【００７７】
読取制御処理において、ＣＰＵ２０は、読取画像データのプレビュ中に、白データに基づき画像データを補正するための処理を行うか否かを判断する実行判断処理を実行する。以下、実行判断処理の相違による実施例を説明する。なお、ここで白データに基づく画像データの補正には、いわゆる、シェーディング補正が含まれる。
【００７８】
５−１．実施例１
実施例１では、実行判断処理が、「プレビュ中に画質の調整がなされたか否か」の判断処理である場合を、図８を参照して説明する。
【００７９】
読取制御処理において、ＣＰＵ２０は、まず、モータ３１を逆回転させて、キャリッジ８、すなわち読取部７をＡＤＦ読取位置ＲＰに移動させる（ステップＳ１０５）。さらに、モータ３１を逆回転させて、かつトルクを増加させて、遊星ギア１７をＦＢ側位置からＡＤＦ側位置に移動させる。それによって、モータ３１の駆動をＦＢ駆動からＡＤＦ駆動に切替える（ステップＳ１１０）。
【００８０】
次いで、ＣＰＵ２０は、例えば、図７に示す読取設定画面７０において「読取開始」ボタン７２がクリックされ、読取開始指示をネットワークＩ／Ｆ２４と介して受取ったか否かを判定する（ステップＳ１１５）。読取開始指示を受取っていないと判定した場合（ステップＳ１１５：ＮＯ）、ＣＰＵ２０は、「読取開始」ボタン７２がクリックされるまで待機する。一方、読取開始指示を受取ったと判定した場合（ステップＳ１１５：ＹＥＳ）、ＣＰＵ２０は、読取部７の光源７Ａから光を発光させて光量調整を行う（ステップＳ１２０）。なお、ステップＳ１１５の判定処理は、読取開始キー１１Ａがユーザによって押下されたか否かを判定するようにしてもよい。また、図７はユーザＰＣに表示される読取設定画面の例を示すが、読取装置１の表示部１２にも、読取設定に係る画面が示される。
【００８１】
次いで、ＣＰＵ２０は、さらにモータ３１を逆回転させて、搬送部４４を駆動してＡＤＦ読取を行う。そして、補正していない本画像と、ＮＶＲＡＭ２８に記憶された前回ＪＯＢの白データを使用して補正したプレビュ画像とを作成する（ステップＳ１２５）。
【００８２】
次いで、ＣＰＵ２０は、読取設定画面７０のプレビュ領域７３にプレビュ画像を表示し、編集可能状態にする（ステップＳ１３０）。そして、モータ３１を正回転させて、遊星ギア１７をＡＤＦ側位置からＦＢ側位置に移動させることによって、モータ３１の駆動をＡＤＦ駆動からＦＢ駆動に切替える（ステップＳ１３５）。
【００８３】
次いで、ＣＰＵ２０は、遊星ギア１７の切替え中に、プレビュ画像の編集において画質の調整がされたか否かを判定する（ステップＳ１４０：実行判断処理、調整判断処理の一例）。ここで、画質の調整には、明るさの調整、およびコントラストの調整等が含まれる。画質の調整がされたと判定した場合（ステップＳ１４０：ＹＥＳ）、ＣＰＵ２０は、モータ３１を駆動制御して、キャリッジ８をホームポジションＨＰに移動させる（ステップＳ１８０）。このように、キャリッジ８をホームポジションＨＰに移動させることによって、次の読取がＦＢ読取の場合に、ＦＢ読取を開始するまでの時間を短縮することができる。
【００８４】
次いで、ＣＰＵ２０は、プレビュ画像の編集が終了状態となっているか否かを判定する（ステップＳ１８３）。この判定は、例えば、読取設定画面７０の終了ボタン７４によって読取設定が終了されたことによって行われる。プレビュ画像の編集が終了状態となっていないと判定した場合（ステップＳ１８３：ＮＯ）、ＣＰＵ２０は、画像の編集が終了状態となるまで待機する。一方、プレビュ画像の編集が終了状態となっていると判定した場合（ステップＳ１８３：ＹＥＳ）、ＣＰＵ２０は、例えば、ＮＶＲＡＭ２８に記憶された前回の読取ＪＯＢの白データを使用して本画像を補正する（ステップＳ１８５）。
【００８５】
ここで、前回の読取ＪＯＢの白データは、プレビュ中に取得処理によって取得する白データに代えて、本画像の補正に使用するように予め設定され、今回のプレビュ以前にＮＶＲＡＭ２８に記憶されている。すなわち、前回の読取ＪＯＢの白データは、「プレビュの事前に設定された白データ」の一例に相当する。なお、「前記プレビュの事前に設定された白データ」は、前回の読取ＪＯＢの白データに限られない。例えば、事前に設定された白データは、本画像に標準的な補正をするための固有の白データであってもよい。
【００８６】
プレビュ中においてユーザが画質の調整をした場合、白データを新たに取得して本画像、詳しくは、本画像の画像データを補正すると、ユーザが調整した画質と差異が生じることになる。このため、プレビュ中においてユーザが画質の調整をした場合、前回の読取ＪＯＢの白データを使用して本画像を補正する。このように、前回の読取の際に取得した白データを使用して本画像を補正することによって、ユーザが調整した画質と異なることを抑制できる。
【００８７】
一方、遊星ギア１７の切替え中に画質の調整がされていないと判定した場合（ステップＳ１４０：ＮＯ）、ＣＰＵ２０は、キャリッジ８をホームポジションＨＰに移動させる（ステップＳ１４５：移動処理、画像データを補正するための処理の一例）。そして、キャリッジ８の移動中に画質の調整がされたか否かを判定する（ステップＳ１５０：実行判断処理、調整判断処理の一例）。
【００８８】
キャリッジ８の移動中に画質の調整がされたと判定した場合（ステップＳ１５０：ＹＥＳ）、上記ステップＳ１８３以降の処理を行う。その際、ＣＰＵ２０は、前回の読取ＪＯＢの白データを使用して本画像を補正する（ステップＳ１８５）。一方、キャリッジ８の移動中に画質の調整がされていないと判定した場合（ステップＳ１５０：ＮＯ）、ＣＰＵ２０は、調整基準５５の白テープ５５Ａを利用して白データを取得する（ステップＳ１５５：取得処理、画像データを補正するための処理の一例）。その際、ＣＰＵ２０は、読取部７に、白テープ５５Ａに対して光を発光させ、白テープ５５Ａが反射した光を受光させることで、白データを生成させ、読取部７から白データを取得する。
【００８９】
このように、キャリッジ８をホームポジションＨＰに移動させる間に画質の調整がされた場合において、白データを取得しないことにより、白データ取得にかかる時間分、後続の読取の開始が遅くなることを抑制することができる。
【００９０】
次いで、ＣＰＵ２０は、プレビュ画像の編集が終了状態となっているか否かを判定する（ステップＳ１６５）。この判定は、上記ステップＳ１８３と同様に、例えば、読取設定画面７０の終了ボタン７４によって読取設定が終了されたことによって行われる。プレビュ画像の編集が終了状態となっていないと判定した場合（ステップＳ１６５：ＮＯ）、ＣＰＵ２０は、画像の編集が終了状態となるまで待機する。一方、プレビュ画像の編集が終了状態となっていると判定した場合（ステップＳ１６５：ＹＥＳ）、白データを取得中、あるいはキャリッジ８の移動中に画質の調整がされたか否かを判定する（ステップＳ１７０：実行判断処理：調整判断処理の一例）。
なお、プレビュ画像の編集終了状態の判定において、終了ボタン７４に代えて、読取設定画面７０にプレビュ画像の編集を終了するための編集終了ボタンを設け、編集終了ボタンがクリックされた場合に、プレビュ画像の編集終了状態を判定するようにしてもよい。
【００９１】
白データを取得中、あるいはキャリッジ８の移動中に画質の調整がされたと判定した場合（ステップＳ１７０：ＹＥＳ）、前回の読取ＪＯＢの白データを使用して本画像を補正する（ステップＳ１８５）。一方、白データを取得中、あるいはキャリッジ８の移動中に画質の調整がされていないと判定した場合（ステップＳ１７０：ＮＯ）、今回取得した白データを使用して本画像を補正する（ステップＳ１７５：補正処理、画像データを補正するための処理の一例）。次いで、ＣＰＵ２０は、補正された本画像に対して編集を行い（ステップＳ１９０）、編集された本画像を、例えば、ＮＶＲＡＭ２８に保存する（ステップＳ１９５）。
【００９２】
このように、実施例１では、画質の調整がされた場合、前回の読取ＪＯＢの白データを使用して本画像が補正される。それによって、ユーザが調整した画質と異なることを抑制できるとともに、白データを新たに取得しないことにより、後続の読取の開始が遅くなることを抑制することができる。
なお、実施例１では、ステップＳ１４０、ステップＳ１５０、およびステップＳ１７０の調整判断処理を３回、実行する例を示したが、これに限られない。例えば、ステップＳ１７０の処理は省略されてもよい。要は、調整判断処理は、少なくとも一回、実行されればよい。
【００９３】
５−２．実施例２
次に実施例２では、実行判断処理が、「画像データがカラーデータか否か、言い換えれば、読取がカラー読取かモノクロ読取か」の判断処理である場合を、図９を参照して説明する。なお、実施例１と同一の処理には同一のステップ番号を付し、その説明を省略する。
【００９４】
実施例２では、実施例１のステップＳ１０５〜ステップＳ１３５の処理後において、すなわち、モータ３１の駆動をＡＤＦ駆動からＦＢ駆動に切替えた後において、ＣＰＵ２０は、プレビュ画像の編集が終了状態となっているか否かを判定する（ステップＳ２０５）。プレビュ画像の編集が終了状態となっていないと判定した場合（ステップＳ２０５：ＮＯ）、ＣＰＵ２０は、キャリッジ８をホームポジションＨＰに移動させる（ステップＳ１４５）。
【００９５】
一方、プレビュ画像の編集が終了状態となっていると判定した場合（ステップＳ２０５：ＹＥＳ）、ＣＰＵ２０は、画像データがカラーデータか否か、言い換えれば、読取部がカラーで画像データを生成したか、モノクロで画像データを生成したかを判定する（ステップＳ２１０：実行判断処理、カラー判断処理の一例）。画像データがカラーデータであると判定した場合（ステップＳ２１０：ＹＥＳ）、ＣＰＵ２０は、キャリッジ８をホームポジションＨＰに移動させる（ステップＳ１４５）。一方、画像データがカラーデータでない、すなわち、画像データがモノクロデータであると判定した場合（ステップＳ２１０：ＮＯ）、ＣＰＵ２０は、例えば、ＮＶＲＡＭ２８に記憶された前回の読取ＪＯＢの白データを使用して本画像を補正し（ステップＳ２３０）、キャリッジ８をホームポジションＨＰに移動させる（ステップＳ２３５）。ここで、前回の読取ＪＯＢの白データは、上記ステップＳ１８５の処理での記載と同様に、「プレビュの事前に設定された白データ」の一例である。
このように、画像データがモノクロデータである場合、前回の読取ＪＯＢの白データを使用して本画像を補正するのは、モノクロデータでは、白データを使用した補正による画質の改善度がカラーデータより少なく、読取時間の低減の方を優先できるからである。
一方、カラーデータでは、白データの変化よる画質に対する影響がモノクロデータよりも大きいので、画質を優先させるためプレビュ画像の編集が終了状態となっていても、白データの取得を行うほうが好ましい。
【００９６】
さらに、ステップＳ２１５において、キャリッジ８をホームポジションＨＰに移動させた後において、ＣＰＵ２０は、プレビュ画像の編集が終了状態となっているか否かを判定する（ステップＳ２１５）。プレビュ画像の編集が終了状態となっていないと判定した場合（ステップＳ２１５：ＮＯ）、ＣＰＵ２０は、白データを取得し（ステップＳ１５５）、取得した白データを使用して本画像を補正する（ステップＳ２２５）。
【００９７】
一方、キャリッジ８をホームポジションＨＰに移動させた後において、プレビュ画像の編集が終了状態となっていると判定した場合（ステップＳ２１５：ＹＥＳ）、ＣＰＵ２０は、画像データがカラーデータか否か、言い換えれば、読取がカラー読取か否かを判定する（ステップＳ２２０：実行判断処理、カラー判断処理の一例）。画像データがカラーデータであると判定した場合（ステップＳ２２０：ＹＥＳ）、ＣＰＵ２０は、白データを取得し（ステップＳ１５５）、取得した白データを使用して本画像を補正する（ステップＳ２２５：補正処理の一例）。以降、実施例１と同様に、ステップＳ１６０、ステップＳ１６５、ステップＳ１９０、およびステップＳ１９５の処理を行う。
【００９８】
一方、画像データがカラーデータでない、すなわち、画像データがモノクロデータであると判定した場合（ステップＳ２２０：ＮＯ）、ＣＰＵ２０は、前回の読取ＪＯＢの白データを使用して本画像を補正し（ステップＳ２３０）、キャリッジ８をホームポジションＨＰに移動させる（ステップＳ２３５）。以降、実施例１と同様に、ステップＳ１９０およびステップＳ１９５の処理を行う。
【００９９】
このように実施例２においては、モノクロで画像データが生成される場合、ＮＶＲＡＭ２８に記憶された前回の読取ＪＯＢの白データを使用して本画像を補正する。すなわち、モノクロで画像データが生成される場合、ＣＰＵ２０は、白テープ５５Ａから白データを取得しないので、次の読取を開始するまでにかかる時間を短縮することができる。
【０１００】
５−３．実施例３
次に実施例３では、実行判断処理が、「記憶部に、前回の読取りの際に、画像データのプレビュ中に取得部７が取得した白データが記憶されているか否か」の判断処理である場合を、図１０を参照して説明する。なお、実施例１および実施例２と同一の処理には同一のステップ番号を付し、その説明を省略する。
【０１０１】
実施例３では、実施例１のステップＳ１０５〜ステップＳ１２０の処理後において、すなわち、光量調整処理（ステップＳ１２０）の後において、ＣＰＵ２０は、記憶部に、例えば、ＮＶＲＡＭ２８に、前回の読取りの際に、より詳細には、前回の読取りから今回の読取りまで読取装置１の電源が継続してオン状態において、前回の読取りの際に、画像データのプレビュ中に取得部７が取得した白データが記憶されているか否かを判定する（ステップＳ３０５：実行判断処理、記憶判断処理の一例）。ＮＶＲＡＭ２８に前回のプレビュ中に取得した白データが記憶されていると判定した場合（ステップＳ３０５：ＹＥＳ）、ＣＰＵ２０は、ＮＶＲＡＭ２８に記録された前回のプレビュ中に取得した白データを使用して補正した本画像を作成し、本画像と同様に、前回のプレビュ中に取得した白データを使用して補正したプレビュ画像を作成する（ステップＳ３１０）。
【０１０２】
そして、ＣＰＵ２０は、読取設定画面７０のプレビュ領域７３にプレビュ画像を表示し、編集可能状態とし（ステップＳ１３０）、モータ３１の駆動をＡＤＦ駆動からＦＢ駆動に切替える（ステップＳ１３５）。次いで、ＣＰＵ２０は、キャリッジ８をホームポジションＨＰに移動させ（ステップＳ２３５）、その後、その後、図１０に示されるように、ステップＳ１６５からステップＳ１９５の処理を行う。
【０１０３】
一方、ＮＶＲＡＭ２８に前回のプレビュ中に取得した白データが記憶されていないと判定した場合（ステップＳ３０５：ＮＯ）、ＣＰＵ２０は、補正されていない本画像を生成し、ＮＶＲＡＭ２８に記憶された前回ＪＯＢの白データを使用してプレビュ画像を作成する（ステップＳ１２５）。なお、ここで、ＮＶＲＡＭ２８に記憶された前回ＪＯＢの白データは、前回のプレビュ中に取得した白データとは別の白データとして、ＮＶＲＡＭ２８内において、前回のプレビュ中に取得した白データとは異なる記憶領域に記憶されている。また、ＮＶＲＡＭ２８に記憶された前回ＪＯＢの白データが、前回のプレビュ中に取得した白データであることを示すフラグを記憶するようにし、前回ＪＯＢの白データが前回のプレビュ中に取得した白データであるか判断してもよい。
【０１０４】
そして、ＣＰＵ２０は、読取設定画面７０のプレビュ領域７３にプレビュ画像を表示し、編集可能状態とし（ステップＳ１３０）、モータ３１の駆動をＡＤＦ駆動からＦＢ駆動に切替える（ステップＳ１３５）。その後、図１０に示されるように、ステップＳ１４５からステップＳ１９５の処理を行う。
【０１０５】
このように実施例３においては、ＮＶＲＡＭ２８に、前回読取のプレビュ中に取得された白データが記憶されている場合、ステップＳ１４５の移動処理は行わず、ＮＶＲＡＭ２８に記憶された白データを使用して本画像が補正される。すなわち、読取装置１の電源が継続してオン状態において、画像データのプレビュ中に取得部７が白データを取得した読取りの次に行う読取りでは、プレビュ中に取得部７が取得した白データは最新の白データにあたる。そのため、さらに白データを取得する必要がなく、それによって、無駄に白データを取得することを回避することができる。
【０１０６】
６．実施形態の効果
本実施形態では、上記したように、ＣＰＵ２０は、画像データのプレビュ中に、プレビュ中に取得処理によって取得された白データを使用して画像データを補正する。
そのため、白データを取得するために読取りの開始が遅れることを抑制することができる。
【０１０７】
また、ＣＰＵ２０は、画像データのプレビュ中に、プレビュ中に取得処理によって取得された白データを使用して画像データを補正するための処理を行うか否かを判断する実行判断処理（ステップＳ１４０，Ｓ１５０，Ｓ１７０，Ｓ２１０，Ｓ２２０，Ｓ３０５）を実行する。
そのため、画像データのプレビュ中における実行判断処理の判断に基づいて、補正するための処理を行うと判断した場合、画像データのプレビュ中に、白テープ５５Ａに対向する位置、すなわち、ホームポジションＨＰにキャリッジ８を移動させ白データを取得し、取得した白データに基づいて画像データを補正することができる。その結果、白データを取得するために読取りの開始が遅れることを抑制することができる。
【０１０８】
また、ＣＰＵ２０は、プレビュ中にＡＤＦ側位置からＦＢ側位置に遊星ギア１７を切替えさせた（ステップＳ１３５）後に、移動処理（ステップＳ１４５）を実行する。そのため、プレビュ中に、遊星ギア１７をＡＤＦ側位置からＦＢ側位置に切替えることができ、ギア切替えにかかる時間を別個に設ける必要がない。そのため、搬送読取と移動読取とでモータ３１を共通化する構成において、白データを取得するために読取りの開始が遅れることを抑制することができるとともに、読取りを開始してからプレビュが完了するまでの時間を短縮することができる。
【０１０９】
＜他の実施形態＞
本発明は上記記述及び図面によって説明した実施形態に限定されるものではなく、例えば次のような実施形態も本発明の技術的範囲に含まれる。
【０１１０】
（１）上記実施形態においては、各実施例において、実行判断処理を個別に実行する例を示したがこれに限られない。例えば、実施例１において、実施例２の実行判断処理、あるいは実施例３の実行判断処理をさらに実行してもよい。あるいは実施例１において、実施例２の実行判断処理および実施例３の実行判断処理をさらに実行してもよい。また、実施例２において実施例３の実行判断処理をさらに実行してもよい。
【０１１１】
（２）上記実施形態においては、ＡＤＦ読取とＦＢ読取とにおける駆動を、遊星ギア１７によって切替えて、１個のモータ３１によって共有して行う例を示したが、これに限られない。本発明は、ＡＤＦ読取とＦＢ読取とにおける駆動を各モータによって個別に行う場合においても、適用できる。その際、上記実施形態において、駆動切替に係る処理、例えば、ステップＳ１１０およびＳ１３５の処理は省略される。
【０１１２】
（３）上記実施形態においては、ＡＤＦ読取の場合について説明したが、必ずしもＡＤＦ読取に限定されない。すなわち、本発明は、ＦＢ読取の場合にも適用できる。
【０１１３】
（４）上記実施形態においては、モータ側伝達ギアおよび切替ギアとして、遊星ギア機構における太陽ギア１５および遊星ギア１７を使用する例を示したが、これに限られない。モータ側伝達ギアとして、太陽ギアと異なるギアを使用し、また、切替ギアとして、モータ側伝達ギアとＦＢ側伝達ギア２１とを連結するＦＢ側位置と、モータ側伝達ギアとＡＤＦ側伝達ギア２３とを連結するＡＤＦ側位置とに切替わる他の構成が使用されてもよい。
【０１１４】
（５）上記実施形態においては、制御部の一例としてＣＰＵ２０を示したが、これに限られない。制御部は、例えば、ＡＳＩＣを含む複数の回路で構成されてもよいし、あるいはＣＰＵとその他の個別の回路とによって構成されてもよい。
【符号の説明】
【０１１５】
１…画像読取装置、７…読取部、８…キャリッジ、１１…操作部、１５…太陽ギア、１７…遊星ギア、２０…ＣＰＵ、２１…ＦＢ側伝達ギア、２３…ＡＤＦ側伝達ギア、２４…ネットワークＩ／Ｆ、２８…ＮＶＲＡＭ、３１…モータ、４０…ＡＤＦ装置、４４…搬送部、４４Ａ…給紙ローラ、４４Ｂ，４４Ｃ…搬送ローラ、４４Ｄ…排紙ローラ、５５Ａ…白テープ
【図１】
2014093575.tif 000003
【図２】
2014093575.tif 000004
【図３】
2014093575.tif 000005
【図４】
2014093575.tif 000006
【図５】
2014093575.tif 000007
【図６】
2014093575.tif 000008
【図７】
2014093575.tif 000009
【図８】
2014093575.tif 000010
【図９】
2014093575.tif 000011
【図１０】
2014093575.tif 000012